(57)【要約】【課題】使用性に優れた電気掃除機を提供すること。【解決手段】塵埃を吸引するためのファンモーターと、塵埃を吸引する吸込み具に連通し、塵埃を捕集するための集塵室と、前記集塵室を覆うための集塵室蓋４と、前記ファンモーターを制御する本体スイッチ５と、前記本体スイッチ５を動作させるための可動自在のスイッチペダル６と、前記集塵室蓋４の前記スイッチペダル６近傍に設けられたストッパー９とを備え、前記集塵室蓋４を開いたときに、前記ストッパー９が突出して前記スイッチペダル６の動作を抑制する構成としたことにより、前記本体スイッチ５に体が誤って触れて、前記ファンモーターが突然動作するという危険性を防止でき、安全性に優れた電気掃除機を提供することができるようになる。【選択図】図３
2007020766.tif 000002
【特許請求の範囲】
【請求項１】
塵埃を吸引するためのファンモーターと、塵埃を吸引する吸込み具に連通し、塵埃を捕集するための集塵室と、前記集塵室を覆うための集塵室蓋と、前記ファンモーターを制御する本体スイッチと、前記本体スイッチを動作させるための可動自在のスイッチペダルと、前記集塵室蓋の前記スイッチペダル近傍に設けられたストッパーとを備え、前記集塵室蓋を開いたときに、前記ストッパーが突出して前記スイッチペダルの動作を抑制する構成とした電気掃除機。
【請求項２】
塵埃を吸引するためのファンモーターと、塵埃を吸引する吸込み具に連通し、塵埃を捕集するための集塵室と、前記集塵室を覆うための集塵室蓋と、電源コードを巻取り収納するためのコードリールと、前記コードリールの動作を制御するための可動式のコードペダルと、前記集塵室蓋の前記コードペダル近傍に設けられたストッパーとを備え、前記集塵室蓋を開いたときに、前記ストッパーが突出して前記コードペダルの動作を抑制する構成とした電気掃除機。
【請求項３】
塵埃を吸引するためのファンモーターと、塵埃を吸引する吸込み具に連通し、塵埃を捕集するための集塵室と、前記集塵室を覆うための集塵室蓋と、前記ファンモーターを制御する本体スイッチと、前記本体スイッチを動作させるための可動自在のスイッチペダルと、電源コードを巻取り収納するためのコードリールと、前記コードリールの動作を制御するための可動式のコードペダルとを備え、前記スイッチペダルおよび／または前記コードペダルを前記集塵室蓋の表面に設けた電気掃除機。
【発明の詳細な説明】
【技術分野】
【０００１】
本発明は一般家庭で使用される電気掃除機に関するもので、特に安全性に関するものである。
【背景技術】
【０００２】
従来の電気掃除機を、図６を用いて説明する。
【０００３】
図６に示す電気掃除機は、塵埃を吸引するためのファンモーター（図示せず）と、塵埃を吸引する吸込み具に連通し、塵埃を捕集するための集塵室（図示せず）と、前記集塵室を覆う集塵室蓋１２と、前記ファンモーターの動作を制御するための本体スイッチ１３と、電源コードを巻取り収納するためのコードリール（図示せず）と、前記コードリールの動作を制御するための可動式のコードペダル１５を内蔵した本体１６から構成されている（例えば、特許文献１参照）。
【特許文献１】特開平８−１６８４５７号公報
【発明の開示】
【発明が解決しようとする課題】
【０００４】
しかしながら上記従来の電気掃除機の構成では、集塵袋交換時等で前記集塵室蓋１２を開けた際に誤って、前記本体スイッチ１３を触ってしまい突然前記本体１６が動作するという危険性があった。また、前記コードペダル１５を押してしまうことにより、意図せずコードが巻き取られてしまい、コード先端の金属刃が手等に当たることにより怪我をする危険性もあった。
【０００５】
本発明は上記課題を解決するもので、安全性に優れた電気掃除機を提供することを目的としている。
【課題を解決するための手段】
【０００６】
上記課題を解決するために本発明は、塵埃を吸引するためのファンモーターと、塵埃を吸引する吸込み具に連通し、塵埃を捕集するための集塵室と、前記集塵室を覆うための集塵室蓋と、前記ファンモーターを制御する本体スイッチと、前記本体スイッチを動作させるための可動自在のスイッチペダルと、前記集塵室蓋の前記スイッチペダル近傍に設けられたストッパーとを備え、前記集塵室蓋を開いたときに、前記ストッパーが突出して前記スイッチペダルの動作を抑制する構成としたことにより、前記本体スイッチに触れることにより突然本体が動作するという危険性を防止でき、安全性に優れた電気掃除機を提供することができる。
【発明の効果】
【０００７】
本発明は、安全性に優れた電気掃除機を提供することができる。
【発明を実施するための最良の形態】
【０００８】
第１の発明は、塵埃を吸引するためのファンモーターと、塵埃を吸引する吸込み具に連通し、塵埃を捕集するための集塵室と、前記集塵室を覆うための集塵室蓋と、前記ファンモーターを制御する本体スイッチと、前記本体スイッチを動作させるための可動自在のスイッチペダルと、前記集塵室蓋の前記スイッチペダル近傍に設けられたストッパーとを備え、前記集塵室蓋を開いたときに、前記ストッパーが突出して前記スイッチペダルの動作を抑制する構成としたことにより、前記本体スイッチに触れることにより突然前記ファンモーターが動作するという危険性を防止できるため安全性に優れた電気掃除機を提供することができる。
【０００９】
第２の発明は、塵埃を吸引するためのファンモーターと、塵埃を吸引する吸込み具に連通し、塵埃を捕集するための集塵室と、前記集塵室を覆うための集塵室蓋と、電源コードを巻取り収納するためのコードリールと、前記コードリールの動作を制御するための可動式のコードペダルと、前記集塵室蓋の前記コードペダル近傍に設けられたストッパーとを備え、前記集塵室蓋を開いたときに、前記ストッパーが突出して前記コードペダルの動作を抑制する構成としたことにより、前記コードペダルを誤って押してしまうことにより、意図せずコードが巻き取られ、コード先端の金属部分が手等に当たり怪我をする危険性を防止できるため、安全性に優れた電気掃除機を提供することができる。
【００１０】
第３の発明は、塵埃を吸引するためのファンモーターと、塵埃を吸引する吸込み具に連通し、塵埃を捕集するための集塵室と、前記集塵室を覆うための集塵室蓋と、前記ファンモーターを制御する本体スイッチと、前記本体スイッチを動作させるための可動自在のスイッチペダルと、電源コードを巻取り収納するためのコードリールと、前記コードリールの動作を制御するための可動式のコードペダルとを備え、前記スイッチペダルおよび／または前記コードペダルを前記集塵室蓋の表面に設けることにより、前記集塵室蓋を開くと、前記スイッチペダルが前記本体スイッチから離れ前記本体スイッチを動作させることを防止できる、および／または、前記コードペダルが前記コードリールから離れ前記コードリールを動作させることを防止でき、集塵袋交換時の安全性を向上させた電気掃除機を提供することができる。
【００１１】
以下、本発明の実施の形態について、図面を参照しながら説明する。なお、本実施の形態によって本発明が限定されるものではない。
【００１２】
（実施の形態１）
本発明の第１の実施の形態について図１〜図５を用いて説明する。
【００１３】
図１〜図５において、本体１は塵埃を吸引するためのファンモーター２と、塵埃を吸引する吸込み具に連通し、塵埃を捕集するための集塵室３と、前記集塵室３を覆うための集塵室蓋４と、前記ファンモーター２を制御する本体スイッチ５と、前記本体スイッチ５を動作させるための可動自在のスイッチペダル６と、電源コードを巻取り収納するためのコードリール７と、前記コードリール７の動作を制御するための可動式のコードペダル８を内蔵し、前記集塵室蓋４の前記スイッチペダル６近傍および前記コードペダル８近傍に設けたストッパー９が前記集塵室蓋４を開いたときに前記スイッチペダル６および前記コードペダル８の動作を抑制させる方向に突出する構成となっている。
【００１４】
また、図５において前記スイッチペダル６と前記コードペダル８は前記集塵室蓋４上に配設されており、前記集塵室蓋４を開くと、前記スイッチペダル６と前記コードペダル８は前記本体スイッチ５と前記コードリール７から分離される構成となっている。
【００１５】
以上のように構成された電気掃除機について図１〜図５を用いてその動作、作用を説明する。
【００１６】
図１〜図４に示すように、前記集塵室蓋４の前記スイッチペダル６近傍および前記コードペダル８近傍に設けたストッパー９が前記集塵室蓋４を開いたときに前記スイッチペダル６および前記コードペダル８の動作を抑制させる方向に突出させることにより、前記本体スイッチ５を触ってしまうことにより突然前記本体が動作するという危険性を防止できるとともに、前記コードペダル８を押してしまうことにより、意図せずコードが巻き取られてしまい、コード先端の金属刃が手等に当たることにより怪我をする危険性を防止できるため安全性に優れた電気掃除機を提供することができる。
【００１７】
また、図５に示すように、前記スイッチペダル６および前記コードペダル８を前記集塵室蓋４の表面に設けることにより、前記集塵室蓋４を開くことにより、前記スイッチペダル６が前記本体スイッチ５から離れるため、前記本体スイッチ５を動作させることを防止できるとともに、前記コードペダル８が前記コードリール７から離れるため、前記コードリール７を動作させることを防止でき、集塵袋交換時の安全性を向上させた電気掃除機を提供することができる。
【００１８】
以上のように本実施の形態においては、特に集塵袋交換時の安全性を向上させた電気掃除機を提供することができる。
【産業上の利用可能性】
【００１９】
以上のように、本発明にかかる電気掃除機は安全性に優れた極めて有用なものである。
【図面の簡単な説明】
【００２０】
【図１】本発明の実施の形態１を示す電気掃除機の平面図
【図２】同電気掃除機の要部断面図
【図３】同電気掃除機の要部断面図
【図４】同電気掃除機の要部断面図
【図５】同電気掃除機の要部断面図
【図６】従来の電気掃除機の平面図
【符号の説明】
【００２１】
１  本体
２  ファンモーター
３  集塵室
４  集塵室蓋
５  本体スイッチ
６  スイッチペダル
９  ストッパー
【図１】
2007020766.tif 000003
【図２】
2007020766.tif 000004
【図３】
2007020766.tif 000005
【図４】
2007020766.tif 000006
【図５】
2007020766.tif 000007
【図６】
2007020766.tif 000008